(57)【特許請求の範囲】
【請求項１】
基面上に配置されるコンクリート床版を上下方向に移動させるリフトアップ装置であって、
前記基面側に固定される凹部が形成された支持部と、
外周にネジ溝が刻設されるとともに、前記コンクリート床版に形成された貫通孔を通って前記凹部に先端が当接されるジャッキ棒と、
前記ジャッキ棒を螺入させるネジ穴が形成されるとともに、前記貫通孔の下端に回転不能に取り付けられるリフト板とを備え、
前記リフト板の上面には、上方に突起する突起部が設けられるとともに、前記リフト板と前記コンクリート床版とは絶縁材によって縁切りがされていることを特徴とするリフトアップ装置。
【請求項２】
前記ジャッキ棒の前記コンクリート床版から上方に突出した位置には、軸方向に直交する方向に延設されるハンドル部が設けられることを特徴とする請求項１に記載のリフトアップ装置。
【請求項３】
基面上に配置されるコンクリート床版を上下方向に移動させるリフトアップ装置であって、前記基面側に固定される凹部が形成された支持部と、外周にネジ溝が刻設されるとともに、前記コンクリート床版に形成された貫通孔を通って前記凹部に先端が当接されるジャッキ棒と、前記ジャッキ棒を螺入させるネジ穴が形成されるとともに、前記貫通孔の下端に回転不能に取り付けられるリフト板とを備えたリフトアップ装置が前記コンクリート床版の複数箇所に設けられるリフトアップシステムであって、
前記ジャッキ棒間を横方向に連結させることで間隔を一定に保持する連結装置と、
一箇所で付与された回転をすべてのジャッキ棒に伝達して回転させる回転伝達装置とを備えていることを特徴とするリフトアップシステム。
【請求項４】
請求項１又は２に記載のリフトアップ装置が前記コンクリート床版の複数箇所に設けられるリフトアップシステムであって、
前記ジャッキ棒間を横方向に連結させることで間隔を一定に保持する連結装置と、
一箇所で付与された回転をすべてのジャッキ棒に伝達して回転させる回転伝達装置とを備えていることを特徴とするリフトアップシステム。
【請求項５】
基面上に配置されるコンクリート床版を上下方向に移動させるリフトアップ装置であって、前記基面側に固定される凹部が形成された支持部と、外周にネジ溝が刻設されるとともに、前記コンクリート床版に形成された貫通孔を通って前記凹部に先端が当接されるジャッキ棒と、前記ジャッキ棒を螺入させるネジ穴が形成されるとともに、前記貫通孔の下端に回転不能に取り付けられるリフト板とを備えたリフトアップ装置を使用してコンクリート床版を上下方向に移動させるリフトアップ方法であって、
前記支持部の上に前記リフト板を設置したうえで、前記基面上に前記貫通孔を備えたコンクリート床版を構築する工程と、
前記貫通孔を通って前記凹部に先端を当接させた前記ジャッキ棒を回転させることで、前記リフト板と共に前記コンクリート床版を上昇させる工程と、
前記コンクリート床版と前記基面との間に支持材を配置する工程と、
前記ジャッキ棒を反対方向に回転させることで、前記コンクリート床版を下降させて前記支持材に前記コンクリート床版を支持させる工程と、
前記ジャッキ棒の先端と前記凹部とを離隔させる工程とを備えていることを特徴とするリフトアップ方法。
【請求項６】
請求項１又は２に記載のリフトアップ装置を使用してコンクリート床版を上下方向に移動させるリフトアップ方法であって、
前記支持部の上に前記リフト板を設置したうえで、前記基面上に前記貫通孔を備えたコンクリート床版を構築する工程と、
前記貫通孔を通って前記凹部に先端を当接させた前記ジャッキ棒を回転させることで、前記リフト板と共に前記コンクリート床版を上昇させる工程と、
前記コンクリート床版と前記基面との間に支持材を配置する工程と、
前記ジャッキ棒を反対方向に回転させることで、前記コンクリート床版を下降させて前記支持材に前記コンクリート床版を支持させる工程と、
前記ジャッキ棒の先端と前記凹部とを離隔させる工程とを備えていることを特徴とするリフトアップ方法。
【請求項７】
基面上に配置されるコンクリート床版を上下方向に移動させるリフトアップ装置であって、
前記基面側に固定される凹部が形成された支持部と、
外周にネジ溝が刻設されるとともに、前記コンクリート床版に形成された貫通孔を通って前記凹部に先端が分離自在かつ回転不能に嵌合されるジャッキ棒と、
前記貫通孔に連通する穴が形成されるとともに、前記貫通孔の下端に設けられるリフト板と、
前記ジャッキ棒を螺入させるネジ穴が形成されるとともに、前記貫通孔から上端が突出し、かつ、前記リフト板から下端が突出する長尺ナット部と、
前記長尺ナット部の下端が固定される受けプレートと、
前記リフト板に対して前記受けプレートを回転自在にするベアリング構造とを備えたことを特徴とするリフトアップ装置。
【請求項８】
基面上に配置されるコンクリート床版を上下方向に移動させるリフトアップ装置であって、前記基面側に固定される凹部が形成された支持部と、外周にネジ溝が刻設されるとともに、前記コンクリート床版に形成された貫通孔を通って前記凹部に先端が回転不能に嵌合されるジャッキ棒と、前記貫通孔に連通する穴が形成されるとともに、前記貫通孔の下端に設けられるリフト板と、前記ジャッキ棒を螺入させるネジ穴が形成されるとともに、前記貫通孔から上端が突出し、かつ、前記リフト板から下端が突出する長尺ナット部と、前記長尺ナット部の下端が固定される受けプレートと、前記リフト板に対して前記受けプレートを回転自在にする回動機構とを備えたリフトアップ装置が前記コンクリート床版の複数箇所に設けられるリフトアップシステムであって、
前記ジャッキ棒間を横方向に連結させることで間隔を一定に保持する連結装置と、
一箇所で付与された回転をすべての長尺ナット部に伝達して回転させる回転伝達装置とを備えていることを特徴とするリフトアップシステム。
【請求項９】
基面上に配置されるコンクリート床版を上下方向に移動させるリフトアップ装置であって、前記基面側に固定される凹部が形成された支持部と、外周にネジ溝が刻設されるとともに、前記コンクリート床版に形成された貫通孔を通って前記凹部に先端が回転不能に嵌合されるジャッキ棒と、前記貫通孔に連通する穴が形成されるとともに、前記貫通孔の下端に設けられるリフト板と、前記ジャッキ棒を螺入させるネジ穴が形成されるとともに、前記貫通孔から上端が突出し、かつ、前記リフト板から下端が突出する長尺ナット部と、前記長尺ナット部の下端が固定される受けプレートと、前記リフト板に対して前記受けプレートを回転自在にする回動機構とを備えたリフトアップ装置を使用してコンクリート床版を上下方向に移動させるリフトアップ方法であって、
前記支持部の前記凹部に前記ジャッキ棒の先端を嵌合させるとともに、そのジャッキ棒に前記受けプレートと前記長尺ナット部を装着し、その受けプレート上に前記回動機構と前記リフト板とを設置したうえで、前記基面上に前記貫通孔を備えたコンクリート床版を構築する工程と、
前記長尺ナット部を回転させることで、前記リフト板と共に前記コンクリート床版を上昇させる工程と、
前記コンクリート床版と前記基面との間に支持材を配置する工程と、
前記長尺ナット部を反対方向に回転させることで、前記コンクリート床版を下降させて前記支持材に前記コンクリート床版を支持させる工程と、
前記ジャッキ棒の先端と前記凹部とを離隔させる工程とを備えていることを特徴とするリフトアップ方法。
【発明の詳細な説明】
【技術分野】
【０００１】
本発明は、コンクリート床版を上下方向に移動させるリフトアップ装置、リフトアップシステム及びリフトアップ方法に関するものである。
【背景技術】
【０００２】
従来、埋立地などの軟弱地盤上に構築されたコンクリート床版に不同沈下が生じた場合に、油圧ジャッキを利用したリフトアップ装置によってコンクリート床版を持ち上げて修正をおこなうジャッキアップ工法が知られている（特許文献１，２など参照）。
【０００３】
このジャッキアップ工法では、コンクリート床版を持ち上げる地点ごとに油圧ジャッキが配置される。
【特許文献１】特開平８−１５１６５３号公報
【特許文献２】特開平８−１３８１４号公報
【発明の開示】
【発明が解決しようとする課題】
【０００４】
しかしながら、油圧ジャッキを使用する従来のジャッキアップ工法では、同時にリフトアップをおこなう数だけの油圧ジャッキに加えて、油圧ポンプ、分配器、油圧ホースなどの使用機材が多く、コストが嵩む。
【０００５】
また、油圧ジャッキや油圧ポンプなどの重量の大きな機材を配置する作業は手間がかかるうえに、施工現場に油圧ホースが錯綜することになって、作業環境が悪化するおそれがある。
【０００６】
そこで、本発明は、簡単な構成でコンクリート床版を上下方向に移動させることが可能なリフトアップ装置、並びにそれを利用したリフトアップシステム及びリフトアップ方法を提供することを目的としている。
【課題を解決するための手段】
【０００７】
前記目的を達成するために、本発明のリフトアップ装置は、基面上に配置されるコンクリート床版を上下方向に移動させるリフトアップ装置であって、前記基面側に固定される凹部が形成された支持部と、外周にネジ溝が刻設されるとともに、前記コンクリート床版に形成された貫通孔を通って前記凹部に先端が当接されるジャッキ棒と、前記ジャッキ棒を螺入させるネジ穴が形成されるとともに、前記貫通孔の下端に回転不能に取り付けられるリフト板とを備えたことを特徴とする。
【０００８】
ここで、前記ジャッキ棒の前記コンクリート床版から上方に突出した位置には、軸方向に直交する方向に延設されるハンドル部が設けられることが好ましい。
【０００９】
また、前記リフト板の上面には、上方に突起する突起部が設けられるとともに、前記リフト板と前記コンクリート床版とは絶縁材によって縁切りがされている構成とすることができる。
【００１０】
さらに、本発明のリフトアップシステムは、上記リフトアップ装置が前記コンクリート床版の複数箇所に設けられるリフトアップシステムであって、前記ジャッキ棒間を横方向に連結させることで間隔を一定に保持する連結装置と、一箇所で付与された回転をすべてのジャッキ棒に伝達して回転させる回転伝達装置とを備えていることを特徴とする。
【００１１】
そして、本発明のリフトアップ方法は、上記リフトアップ装置を使用してコンクリート床版を上下方向に移動させるリフトアップ方法であって、前記支持部の上に前記リフト板を設置したうえで、前記基面上に前記貫通孔を備えたコンクリート床版を構築する工程と、前記貫通孔を通って前記凹部に先端を当接させた前記ジャッキ棒を回転させることで、前記リフト板と共に前記コンクリート床版を上昇させる工程と、前記コンクリート床版と前記基面との間に支持材を配置する工程と、前記ジャッキ棒を反対方向に回転させることで、前記コンクリート床版を下降させて前記支持材に前記コンクリート床版を支持させる工程と、前記ジャッキ棒の先端と前記凹部とを離隔させる工程とを備えていることを特徴とする。
【００１２】
また、別の形態の本発明のリフトアップ装置は、基面上に配置されるコンクリート床版を上下方向に移動させるリフトアップ装置であって、前記基面側に固定される凹部が形成された支持部と、外周にネジ溝が刻設されるとともに、前記コンクリート床版に形成された貫通孔を通って前記凹部に先端が回転不能に嵌合されるジャッキ棒と、前記貫通孔に連通する穴が形成されるとともに、前記貫通孔の下端に設けられるリフト板と、前記ジャッキ棒を螺入させるネジ穴が形成されるとともに、前記貫通孔から上端が突出し、かつ、前記リフト板から下端が突出する長尺ナット部と、前記長尺ナット部の下端が固定される受けプレートと、前記リフト板に対して前記受けプレートを回転自在にする回動機構とを備えたことを特徴とする。
【００１３】
さらに、リフトアップシステムは、前記リフトアップ装置が前記コンクリート床版の複数箇所に設けられるリフトアップシステムであって、前記ジャッキ棒間を横方向に連結させることで間隔を一定に保持する連結装置と、一箇所で付与された回転をすべての長尺ナット部に伝達して回転させる回転伝達装置とを備えていることを特徴とする。
【００１４】
そして、リフトアップ方法は、リフトアップ装置を使用してコンクリート床版を上下方向に移動させるリフトアップ方法であって、前記支持部の前記凹部に前記ジャッキ棒の先端を嵌合させるとともに、そのジャッキ棒に前記受けプレートと前記長尺ナット部を装着し、その受けプレート上に前記回動機構と前記リフト板とを設置したうえで、前記基面上に前記貫通孔を備えたコンクリート床版を構築する工程と、前記長尺ナット部を回転させることで、前記リフト板と共に前記コンクリート床版を上昇させる工程と、前記コンクリート床版と前記基面との間に支持材を配置する工程と、前記長尺ナット部を反対方向に回転させることで、前記コンクリート床版を下降させて前記支持材に前記コンクリート床版を支持させる工程と、前記ジャッキ棒の先端と前記凹部とを離隔させる工程とを備えている。
【発明の効果】
【００１５】
このように構成された本発明のリフトアップ装置は、支持部の凹部にジャッキ棒の先端を当接させてジャッキ棒を回転させることで、コンクリート床版によって回転が拘束されたリフト板を上方又は下方に移動させ、それに伴ってコンクリート床版も移動させる。
【００１６】
このため、簡単な構成でコンクリート床版を上下方向に移動させることができる。また、ジャッキ棒の先端は凹部に当接されるので、ジャッキ棒を回転させる際に軸ぶれが起き難く、容易にコンクリート床版を移動させることができる。
【００１７】
また、ジャッキ棒の軸方向に直交する方向に延設されるハンドル部を設けることで、容易にジャッキ棒を回すことができる。
【００１８】
さらに、リフト板に突起部を設けるとともに、絶縁材によってリフト板とコンクリート床版との縁切りをおこなうことで、コンクリート床版を移動させた後にリフト板を外して回収することができる。
【００１９】
また、本発明のリフトアップシステムは、複数個所にリフトアップ装置を配置し、連結装置で横方向に連結するとともに、回転伝達装置によってすべてのジャッキ棒に回転を伝達させる。
【００２０】
このため、一箇所で付与した回転によって他のリフトアップ装置を作動させることができるうえに、複数のリフトアップ装置間で移動速度を同期させることができる。
【００２１】
さらに、本発明のリフトアップ方法では、コンクリート床版を構築する際にリフトアップ装置を配備しておくことで、容易にコンクリート床版を上下方向に移動させることができる。
【００２２】
また、別の形態の本発明のリフトアップ装置は、支持部の凹部にジャッキ棒の先端を回転不能に嵌合させ、ジャッキ棒を螺入させた長尺ナット部を回転させることでその下端に固定された受けプレートを上方又は下方に移動させ、その受けプレートに回動機構を介して支持されるコンクリート床版を移動させる。
【００２３】
このように、長尺ナット部を回転させることでコンクリート床版を移動させるようにすれば、コンクリート床版に傾きが生じたとしても長尺ナット部に傾きが伝達され難く、容易に回転させることができる。
【００２４】
さらに、本発明のリフトアップシステムでは、複数個所にリフトアップ装置を配置し、それらを連結装置で横方向に連結するとともに、回転伝達装置によって一箇所で付与した回転をすべての長尺ナット部に伝達させる。
【００２５】
このため、複数のリフトアップ装置間で移動速度が同期することになり、コンクリート床版を水平状態に保ったまま移動させることができる。
【発明を実施するための最良の形態】
【００２６】
以下、本発明の最良の実施の形態について図面を参照して説明する。
【００２７】
図１は、本実施の形態のリフトアップ装置３の利用方法を説明する説明図、図２はリフトアップ装置３の概略構成を説明する斜視図である。
【００２８】
まず、本実施の形態において、リフトアップ装置３が配置されるコンクリート床版１について説明すると、このコンクリート床版１は、基面としてのコンクリート製の床面１１上に支持される二重床の床版である。このコンクリート床版１は、鉄筋コンクリート又はプレストレストコンクリートなどによって、床面１１から分離可能な別体として構築される。
【００２９】
このコンクリート床版１上には、例えば図１に示すように、枕木１２，・・・を介してレール１３が敷設されて、列車が走行できるようになっている。そして、この列車の走行時の振動が床面１１に伝達されるのを低減するために、床面１１とコンクリート床版１との間には、防振装置２が介在されている。
【００３０】
この防振装置２は、床面１１の上面とコンクリート床版１の下面とに固定される台座部２２，２２と、その台座部２２，２２間に装着されるバネ部２１とから主に構成されている。
【００３１】
そして、この防振装置２のバネ部２１を装着、修理又は交換する場合に、コンクリート床版１を一時的に持ち上げることになり、その際にリフトアップ装置３が使用される。
【００３２】
すなわち、図１（ａ）は、コンクリート床版１をリフトアップ装置３で持ち上げてバネ部２１を取り外した状態を示した図で、図１（ｂ）は、バネ部２１を交換した防振装置２にコンクリート床版１を支持させて、リフトアップ装置３のジャッキ棒３２を引き上げて、先端３２２が凹部３１１に当接しないようにした状態を示した図である。
【００３３】
このリフトアップ装置３は、床面１１に固定されて上面がコンクリート床版１に向けて露出する支持部としての支持プレート３１と、その支持プレート３１に立設される外周にネジ溝が刻設されたジャッキ棒３２と、コンクリート床版１の下面に回転不能に取り付けられるリフト板３３とから主に構成される。
【００３４】
この支持プレート３１は、図２に示すように、支圧抵抗の高い鋼材などによって円板状に成形されており、その中心には円筒状の凹部３１１が形成されている。また、この凹部３１１の表面は、摩擦抵抗が小さくなるようにフッ素樹脂などでコーティングされて滑面に仕上げられている。
【００３５】
そして、この凹部３１１に先端３２２が挿入されるジャッキ棒３２は、凹部３１１の内径よりも僅かに小さい外径に形成されたネジ棒で、先端３２２は凹部３１１と同様に摩擦抵抗が小さくなるように表面が滑面に仕上げられている。
【００３６】
また、このジャッキ棒３２は、先端３２２以外の外周にネジ溝が刻設されており、コンクリート床版１を上下方向に貫通する長さを備えている。さらに、ジャッキ棒３２の上部には、その軸方向に直交する方向に向けて貫通する横穴が設けられ、その横穴に棒材を差し込むことでハンドル部３２１が構成される。なお、ハンドル部３２１の取付構造は、これに限定されるものではなく、ソケットレンチなどを介して取り付ける構造であってもよい。
【００３７】
また、コンクリート床版１には、このジャッキ棒３２を挿通させる貫通孔１ａがスリーブ１ｂによって形成されている。このスリーブ１ｂの外周には、図示していないが、コンクリート床版１に一体化させるための突起などが設けられている。
【００３８】
一方、このジャッキ棒３２に装着されるリフト板３３は、円板の略中央に設けられたネジ穴３３２の内周にネジ溝が刻設されており、ジャッキ棒３２の外周面のネジ溝に噛み合うようになっている。
【００３９】
また、このリフト板３３の上面には、ネジ穴３３２を挟んで一対のピン状の突起部３３１，３３１が上方に向けて突起されている。この突起部３３１，３３１がコンクリート床版１の内部に埋設されることで、リフト板３３の回転が阻止されて回転不能となる。
【００４０】
この突起部３３１の長さは、後述するようにジャッキ棒３２の先端３２２と床面１１との離隔をどのくらい確保する必要があるかによるが、例えば数cm 〜十数cm の長さに成形される。
【００４１】
また、図２では図示されていないが、リフト板３３の上面及び側面は、図３（ａ）に示すように絶縁材としての絶縁カバー３４で覆われており、コンクリート床版１にリフト板３３が固着されないように縁切りされている。
【００４２】
次に、本実施の形態のリフトアップ装置３の使用方法について、図３，４を参照しながら説明する。
【００４３】
まず、図３（ａ）に示すように、床面１１の上面と支持プレート３１の上面とが面一になるように、コンクリートを打設して床面１１を構築する。また、支持プレート３１の上にはリフト板３３を重ね、そのリフト板３３の上には絶縁カバー３４を被せる。さらに、リフト板３３のネジ穴３３２にジャッキ棒３２を螺入して、先端３２２を凹部３１１に当接させる。
【００４４】
続いて、図３（ｂ）に示すように、コンクリート床版１に埋設されるジャッキ棒３２の部分にはスリーブ１ｂを被せ、ジャッキ棒３２の周囲にコンクリートが付着しないようにする。
【００４５】
このスリーブ１ｂをジャッキ棒３２に装着する際には、一旦、ハンドル部３２１を外して上から取り付けることもできるが、その他にも、スリーブ１ｂを設置した後にジャッキ棒３２を立設する方法、スリーブ１ｂを半割りにして側方から取り付ける方法などであってもよい。
【００４６】
そして、コンクリート床版１用の鉄筋１ｃをスリーブ１ｂの周囲に組み立て、コンクリートを打設する。このように床面１１上でコンクリート床版１を構築する方法であれば、コンクリート床版１の下方に支保工を設ける必要がなく、効率よく施工することができる。
【００４７】
続いてコンクリート床版１を構築した後に、リフトアップ装置３のハンドル部３２１を手で掴んで、図３（ｃ）に示すようにジャッキ棒３２を時計回りに回すと、リフト板３３がジャッキ棒３２に沿って上昇するのに伴って、コンクリート床版１も上方に押し上げられる。
【００４８】
そして、所定の高さまでコンクリート床版１を持ち上げた状態で、上下の台座部２２，２２の間にバネ部２１を挿入し、ボルト２３，・・・でそれぞれ固定する（図１（ｂ）、図４（ａ）参照）。なお、防振装置２の交換作業の場合は、図１（ａ）に示すように防振装置２のバネ部２１を取り外し、新たなバネ部２１に交換すればよい。
【００４９】
このようにして防振装置２の取り付け作業を終了した後に、ジャッキ棒３２を反時計回りに回してコンクリート床版１を下方に移動させる。ここで、ジャッキ棒３２を反時計回りに回し続けると、その途中でコンクリート床版１の支持が、リフトアップ装置３から防振装置２に受け替えられることになる。
【００５０】
さらに、コンクリート床版１が防振装置２によって支持された後もジャッキ棒３２を反時計回りに回し続けると、図４（ａ）に示すように、リフト板３３のみがジャッキ棒３２に沿って下降することになる。
【００５１】
ここで、このリフト板３３が配置されていたコンクリート床版１の位置には、リフト板３３の外形をした抜き穴１ｄが形成されている。そして、リフト板３３の突起部３３１，３３１が収容されていた抜き穴１ｄから、完全に突起部３３１，３３１が抜け出さない限り、このリフト板３３の回転は阻止されており、リフト板３３は下降し続ける。
【００５２】
このようにして、リフト板３３をコンクリート床版１よりも下方に移動させた後に、図４（ｂ）に示すようにジャッキ棒３２を上方に引き上げると、ジャッキ棒３２の先端３２２が支持プレート３１の凹部３１１から離れることになる。
【００５３】
そして、ハンドル部３２１をジャッキ棒３２から外し、図４（ｃ）に示すようにナット部３５を代わりにジャッキ棒３２に螺着してコンクリート床版１の上面に固定することで、ジャッキ棒３２が下方に下がらないように固定する。
【００５４】
このように、ジャッキ棒３２の先端３２２と支持プレート３１との間隔を開けておけば、コンクリート床版１に作用する振動による防振装置２の伸縮が妨げられず、効果的に振動を吸収させることができる。
【００５５】
次に、本実施の形態のリフトアップ装置３の作用について説明する。
【００５６】
このように構成された本実施の形態のリフトアップ装置３は、支持プレート３１の凹部３１１にジャッキ棒３２の先端を当接させ、ジャッキ棒３２を回転させることで、コンクリート床版１によって回転が拘束されたリフト板３３を上方又は下方に移動させ、それに伴ってコンクリート床版１も移動させる。
【００５７】
このため、簡単な構成でコンクリート床版１を上下方向に移動させることができる。また、ジャッキ棒３２の先端３２２は凹部３１１に挿入されているので、人力でジャッキ棒３２を回転させる際にも軸ぶれが起き難く、容易にコンクリート床版１を移動させることができる。
【００５８】
また、ジャッキ棒３２の軸方向に直交する方向に延設されるハンドル部３２１を設けることで、容易にジャッキ棒３２を回すことができる。さらに、ジャッキ棒３２の先端３２２と凹部３１１の表面は、摩擦抵抗が少なくなるように滑面に仕上げられているので、ジャッキ棒３２を回す際の抵抗を小さくすることができる。
【００５９】
また、このようなリフトアップ装置３は、人力で作動させるために動力を必要としないうえに、軽量かつ簡易な構成であるため、運搬、組み立てを容易におこなうことができる。さらに、油圧ポンプなどを必要としないので、安価に実施できるうえに、適用範囲が広い。
【００６０】
また、このようなリフトアップ装置３を使用することで、コンクリート床版１を構築する当初から防振装置２を設置しておかなくとも、後からでも取り付けることができる。
【実施例１】
【００６１】
以下、前記した実施の形態で説明したリフトアップ装置３を利用したリフトアップシステム４について、図５，６を参照しながら説明する。なお、前記実施の形態で説明した内容と同一乃至均等な部分の説明については同一符号を付して説明する。
【００６２】
図５は、平面視矩形状のコンクリート床版１を上から見た平面図である。このコンクリート床版１は、角部に近い４箇所で防振装置２，・・・によって支持されており、その防振装置２，・・・に隣接して４つのリフトアップ装置３Ａ−３Ｄが配置されている。
【００６３】
そして、実施例１のリフトアップシステム４は、この４つのリフトアップ装置３Ａ−３Ｄと、リフトアップ装置３Ａ−３Ｄ間の横方向の間隔を一定に保持する連結装置４１，・・・と、リフトアップ装置３Ａ−３Ｄ間で回転を伝達する回転伝達装置４２，・・・とによって主に構成される。
【００６４】
この連結装置４１は、ジャッキ棒３２，３２をロッドエンドのように回転自在に把持する把持部４１２，４１２を両端に備えるとともに、軸回りに回転させることで捩じ込み量が変わる長さ調整部４１１を備えている。
【００６５】
この連結装置４１は、図６に示すようにリフトアップ装置３Ａ，３Ｂ間に架け渡され、長さ調整部４１１によってジャッキ棒３２，３２の直立性が維持される長さに調整される。
【００６６】
また、図５には図示していないが、例えばリフトアップ装置３Ａ，３Ｄ（３Ｃ，３Ｄ）間を連結装置４１で対角線上に連結して、ジャッキ棒３２の回転時の傾きの発生を極力抑えるような構成にすることもできる。
【００６７】
一方、この連結装置４１の上方には、図６に示すように回転伝達装置４２を取り付ける。この回転伝達装置４２は、ジャッキ棒３２に取り付けられる歯車４２２と、歯車４２２に噛み合う歯が内周に設けられた環状の歯付きベルト４２１とによって主に構成される。
【００６８】
そして、ジャッキ棒３２，３２にそれぞれ取り付けられた歯車４２２，４２２間に歯付きベルト４２１を架け渡し、図６に示すように一方のリフトアップ装置３Ａを回すと、歯車４２２の回転に伴って歯付きベルト４２１が回転し、それによって他方のリフトアップ装置３Ｂのジャッキ棒３２も回転することになる。
【００６９】
また、リフトアップ装置３Ａは、図５に示すように回転伝達装置４２を介してリフトアップ装置３Ｃとも繋がっており、リフトアップ装置３Ｄは回転伝達装置４２，４２を介してリフトアップ装置３Ｂ，３Ｃと繋がっているので、一箇所のリフトアップ装置３Ａのジャッキ棒３２を回転させると、その他のリフトアップ装置３Ｂ，３Ｃ，３Ｄも同期して回転することになる。
【００７０】
次に、実施例１のリフトアップシステム４の作用について説明する。
【００７１】
このように構成された実施例１のリフトアップシステム４は、複数個所にリフトアップ装置３Ａ−３Ｄを配置し、連結装置４１，・・・で横方向に連結するとともに、回転伝達装置４２，・・・によってジャッキ棒３２，・・・間で回転を伝達させる。
【００７２】
このため、一箇所のリフトアップ装置３Ａで付与した回転によって、他のリフトアップ装置３Ｂ，３Ｃ，３Ｄを稼動させることができるので、作業効率がよい。
【００７３】
また、複数のリフトアップ装置３Ａ−３Ｄ間で移動速度を同期させることができるので、コンクリート床版１を傾かせることなく容易に上下方向に移動させることができる。
【００７４】
なお、他の構成及び作用効果については、前記実施の形態と略同様であるので説明を省略する。
【実施例２】
【００７５】
以下、前記した実施の形態とは別の形態のリフトアップ装置５について、図７，８を参照しながら説明する。なお、前記実施の形態で説明した内容と同一乃至均等な部分の説明については同一符号を付して説明する。
【００７６】
前記実施の形態で説明したリフトアップ装置３は、ジャッキ棒３２を回転させることでコンクリート床版１を上下方向に移動させたが、この実施例２ではジャッキ棒５２に装着される長尺ナット部５２１を回転させることで、コンクリート床版１を上下方向に移動させるリフトアップ装置５について説明する。
【００７７】
このリフトアップ装置５は、図７，８に示すように、床面１１に固定されて上面がコンクリート床版１に向けて露出する支持部としての支持プレート５１と、その支持プレート５１に立設される外周にネジ溝が刻設されたジャッキ棒５２と、ジャッキ棒５２を螺入させるネジ穴５２１ａが形成された長尺ナット部５２１と、長尺ナット部５２１の下端が固定される受けプレート５４と、この受けプレート５４を回転自在にする回動機構としてのベアリング構造５３とから主に構成される。
【００７８】
この支持プレート５１は、図７に示すように、支圧抵抗の高い鋼材などによって円板状に成形されており、その中心には四角柱状の凹部５１１が形成されている。
【００７９】
そして、ジャッキ棒５２の先端５２２は、この凹部５１１に嵌合する四角柱状に形成されている。また、ジャッキ棒５２の上部は、図示していない固定装置によって傾かないように支持させておくのが好ましい。
【００８０】
また、長尺ナット部５２１は、図８に示すように、コンクリート床版１の貫通孔１ａから上端及び下端が突出する長さを備えた六角柱状のナットであり、中央に軸方向に沿ってネジ穴５２１ａが延設されている。
【００８１】
そして、この長尺ナット部５２１の下端には、図７に示すように円板状の受けプレート５４が固定されており、長尺ナット部５２１の回転に伴って回転するように構成されている。なお、この受けプレート５４は、長尺ナット部５２１と一体に成形することができる。
【００８２】
さらに、この受けプレート５４の縁部には、上方に突起する縁壁部５４１が形成されており、その内側にベアリング構造５３が収容される。
【００８３】
このベアリング構造５３は、受けプレート５４に把持される下リング５３２と、その上に配置される複数のベアリングボール５３３，・・・と、その上に載置される上リング５３１とから主に構成される。なお、ベアリングボール５３３，・・・は、図示しない保持枠に収容されて下リング５３２の周方向の移動が制限されている。
【００８４】
このベアリング構造５３は、受けプレート５４に対して相対的に回転しない下リング５３２の上を、上リング５３１が自在に回転する構造になっている。
【００８５】
一方、図８に示すように、貫通孔１ａを形成するスリーブ１ｂの下端には、貫通孔１ａに連通する穴５５２が形成された円板状のリフト板５５が固定されている。なお、このリフト板５５は、スリーブ１ｂと一体に成形することができる。
【００８６】
そして、そのリフト板５５の下面に、ベアリング構造５３の上リング５３１の上面が当接される。また、このリフト板５５の下面側の縁部には、上リング５３１の横方向の移動を拘束する縁壁部５５１が下方に向けて突設されており、この縁壁部５５１に囲まれたリフト板５５の下面に上リング５３１の上面が当接される。
【００８７】
そして、このように構成されたリフトアップ装置５によってコンクリート床版１を上下方向に移動させる際には、長尺ナット部５２１のコンクリート床版１の上方に突出した部分にレンチなどのハンドル部５２３を装着し、長尺ナット部５２１を回す。
【００８８】
すると、この長尺ナット部５２１の回転に伴って、下端に固定された受けプレート５４と、その上に載置された下リング５３２が回転する。これに対して、下リング５３２上にベアリングボール５３３，・・・を介して載置された上リング５３１は、リフト板５５に押し付けられて回転することなくコンクリート床版１の下面に留まる。
【００８９】
他方、長尺ナット部５２１が回転すると、ジャッキ棒５２に沿って長尺ナット部５２１と受けプレート５４が上下方向に移動することになる。そして、ベアリング構造５３を介して回転が伝達されることなく受けプレート５４に支持されるリフト板５５は、受けプレート５４の上下方向の移動に伴って移動することになる。このようにしてリフト板５５が移動すると、それに一体化されたコンクリート床版１も一緒に移動することになる。
【００９０】
このようにしてコンクリート床版１を移動させて防振装置２の修理・交換をし、コンクリート床版１を防振装置２によって支持させた後に、引き続き長尺ナット部５２１を回して受けプレート５４を下降させると、ベアリング構造５３の上リング５３１とリフト板５５とが分離することになる。
【００９１】
そして、所望する距離だけ上リング５３１とリフト板５５とを離隔させた後にジャッキ棒５２を上方に引き上げると、ジャッキ棒５２の先端５２２を所望する距離だけ床面１１から離隔させることができる。
【００９２】
次に、実施例２のリフトアップ装置５の作用について説明する。
【００９３】
このように構成された実施例２のリフトアップ装置５は、支持プレート５１の凹部５１１にジャッキ棒５２の先端５２２を回転不能に嵌合させ、ジャッキ棒５２を螺入させた長尺ナット部５２１を回転させることでその下端に固定された受けプレート５４を上方又は下方に移動させ、その受けプレート５４にベアリング構造５３を介して支持されるコンクリート床版１を移動させる。
【００９４】
このように、長尺ナット部５２１を回転させることでコンクリート床版１を移動させるようにすれば、隣接する別のリフトアップ装置５との昇降速度の違いなどによってコンクリート床版１に傾きが生じたとしても、長尺ナット部５２１に傾きが伝達され難く、容易に回転させることができる。
【００９５】
すなわち、長尺ナット部５２１でジャッキ棒５２を拘束し、ベアリング構造５３を介してコンクリート床版１との位置ずれが防止される構造であれば、スリーブ１ｂの内周と長尺ナット部５２１の外周との隙間を充分に確保することができ、コンクリート床版１が傾いても、スリーブ１ｂと長尺ナット部５２１が接触して回転トルクが増加してしまうような状態の発生を防ぐことができる。
【００９６】
なお、他の構成及び作用効果については、前記実施の形態と略同様であるので説明を省略する。
【実施例３】
【００９７】
以下、前記した実施例２で説明したリフトアップ装置５を利用したリフトアップシステム６について、図９，１０を参照しながら説明する。なお、前記実施の形態又は実施例１，２で説明した内容と同一乃至均等な部分の説明については同一符号を付して説明する。
【００９８】
図９は、複数のリフトアップ装置５，・・・によって構成されるリフトアップシステム６の概略構成を説明する斜視図である。
【００９９】
この実施例３のリフトアップシステム６は、長方形の４つの角に配置されるリフトアップ装置５，・・・と、その長方形の対角線上に配置されてリフトアップ装置５，５間の横方向の間隔を一定に保持する連結装置６１，６１と、その連結装置６１，６１の交点に配置される回転軸棒６２３と、回転軸棒６２３の回転をそれぞれのリフトアップ装置５，・・・に伝達する回転伝達装置６２，・・・とによって主に構成される。
【０１００】
この回転軸棒６２３は、図１０に示すように、コンクリート床版１の上面の窪みを支点６２３ｃにして回転可能に設置される棒材で、上部にはハンドル６２３ａが取り付けられる。また、支点６２３ｃは、回転時の摩擦抵抗を低減するために、表面が滑面に仕上げられる。
【０１０１】
そして、この回転軸棒６２３を中心に放射状に設置される連結装置６１，６１は、回転軸棒６２３の回転を拘束しない程度の大きさの穴を介して回転軸棒６２３に取り付けられる。
【０１０２】
また、連結装置６１は、図１０に示すように、回転軸棒６２３とジャッキ棒５２の横方向の間隔を調整する長さ調整部６１１と、ジャッキ棒５２の頭部を支持する球面軸受け６１２とによって主に構成される。
【０１０３】
この球面軸受け６１２は、３次元方向の回転を許容する軸受けで、ジャッキ棒５２が傾いたとしてもこの球面軸受け６１２の回転によって吸収することができる。
【０１０４】
なお、ジャッキ棒５２の頭部をナット形状に成形しておけば、球面軸受け６１２に代えてスパナ状の治具を連結装置６１の端部に設けることで、ジャッキ棒５２を支持させることができる。
【０１０５】
また、回転軸棒６２３の連結装置６１，６１が交差する位置より下方には、長尺の歯車６２３ｂが取り付けられ、複数の歯付きベルト６２１，・・・が装着されている。
【０１０６】
すなわち、回転軸棒６２３の回転をリフトアップ装置５に伝達する回転伝達装置６２は、回転軸棒６２３に取り付けられる歯車６２３ｂと、長尺ナット部５２１の外周に取り付けられる歯車６２２と、歯車６２３ｂ，６２２間に架け渡される内周に歯が設けられた歯付きベルト６２１とから主に構成される。
【０１０７】
そして、ハンドル６２３ａを掴んで回転軸棒６２３を人力で回すと、歯車６２３ｂを介してその回転が各歯付きベルト６２１，・・・に伝わり、各リフトアップ装置５，・・・の長尺ナット部５２１，・・・が同じ速度で回転することになる。
【０１０８】
このように構成された実施例３のリフトアップシステム６は、複数個所にリフトアップ装置５，・・・を配置し、連結装置６１，・・・で横方向に連結するとともに、回転伝達装置６２，・・・によって一箇所の回転軸棒６２３に付与した回転をすべての長尺ナット部５２１，・・・に伝達させる。
【０１０９】
このため、複数のリフトアップ装置５，・・・間で移動速度を同期させることができ、コンクリート床版１を水平状態に保ったまま移動させることができる。
【０１１０】
なお、他の構成及び作用効果については、前記実施の形態又は実施例と略同様であるので説明を省略する。
【０１１１】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【０１１２】
例えば、前記実施の形態では、ジャッキ棒３２の先端３２２が凹部３１１に当接しない高さまでジャッキ棒３２を引き上げてナット部３５で固定したが、これに限定されるものでない。例えば、図４（ａ）に示すようなジャッキ棒３２の反時計回りの回転を、抜き穴１ｄからリフト板３３が抜け出してジャッキ棒３２に伴って回転し始めるまで続け、側方からリフト板３３を直接回してジャッキ棒３２から外し、ジャッキ棒３２とともに回収することができる。
【０１１３】
また、前記実施の形態では、レール１３を敷設するコンクリート床版１について説明したが、これに限定されるものではなく、免震ゴム等を配置する建物のコンクリート床版にも本発明のリフトアップ装置及びリフトアップシステムを適用することができる。
【０１１４】
さらに、前記実施の形態では、リフト板３３とコンクリート床版１との間に絶縁カバー３４を配置して縁切りをおこなったが、これに限定されるものではなく、リフト板３３を回収しない場合は絶縁カバー３４を配置せずにコンクリート床版１と一体化させてもよい。また、このように一体化させる場合は、リフト板３３に突起部３３１を設けなくてもよい。さらに、リフト板３３をコンクリート床版１に一体化させた場合は、ジャッキ棒３２だけを回収することができる。
【０１１５】
また、前記実施の形態では、防振装置２の取り付けや修理・交換をおこなうためにコンクリート床版１を持ち上げたが、これに限定されるものではなく、不同沈下の修正、基礎の受け替えなど、いずれの理由であってもコンクリート床版を上下方向に移動させる際には、本発明のリフトアップ装置及びリフトアップシステムを適用することができる。
【０１１６】
さらに、前記実施の形態及び実施例では、支持プレート３１，５１及びリフト板３３、５５は円板状のものについて説明したが、これに限定されるものではなく、平面視四角形や六角形などの多角形、楕円形などのいずれの形状であってもよい。
【０１１７】
また、前記実施例３では、回転軸棒６２３の回転を複数のリフトアップ装置５，・・・に伝達する構成にしたが、これに限定されるものではなく、実施例２と同様に回転軸棒６２３を使用せずにリフトアップ装置５，・・・間を接続する構成であってもよい。
【０１１８】
さらに、前記実施例１（又は実施例３）では、コンクリート床版１に一組のリフトアップシステム４（６）を配置した場合について説明したが、これに限定されるものではなく、複数組のリフトアップシステム４，・・・（６，・・・）をコンクリート床版１に配置することもできる。すなわち、すべてのジャッキ棒３２，・・・（又は長尺ナット部５２１，・・・）を一組のリフトアップシステム４（６）によって連結すると、必要な回転力が大きくなりすぎたり、連結装置４１，・・・（６１，・・・）などが交錯して構成が複雑になったりする場合があるが、複数組のリフトアップシステム４，・・・（６，・・・）における回転作業でコンクリート床版１を上下方向に移動させるようにすれば、簡単に構成できるうえに、必要な回転力が大きくなりすぎることがない。また、複数組のリフトアップシステム４，・・・（６，・・・）を回転させる場合であっても、すべてのジャッキ棒３２，・・・（又は長尺ナット部５２１，・・・）を個々に回転させる場合に比べて回転作業が削減されるので、作業効率がよい。
【図面の簡単な説明】
【０１１９】
【図１】本発明の最良の実施の形態のリフトアップ装置の使用方法を説明する説明図で、（ａ）はコンクリート床版を持ち上げた状態を示した断面図、（ｂ）はリフトアップ装置による支持を解除した状態を示した断面図である。
【図２】本発明の最良の実施の形態のリフトアップ装置の概略構成を説明する斜視図である。
【図３】リフトアップ装置を設置し、コンクリート床版を上昇させるまでの工程を説明する説明図であって、（ａ）はコンクリート床版を構築する前の状態を示した図、（ｂ）はリフトアップ前の状態を示した図、（ｃ）はリフトアップ装置によってコンクリート床版を上昇させている状態を示した図である。
【図４】リフトアップ装置による支持を解除するまでの工程を説明する説明図であって、（ａ）はリフトアップ装置のリフト板のみを下降させている状態を示した図、（ｂ）はジャッキ棒を持ち上げた状態を示した図、（ｃ）はジャッキ棒をナット部で固定した状態を示した図である。
【図５】実施例１のリフトアップシステムの概略構成を説明する平面図である。
【図６】図５のＡ−Ａ矢視方向から見た断面図である。
【図７】実施例２のリフトアップ装置の概略構成を説明する斜視図である。
【図８】実施例２のリフトアップ装置の構成を説明する断面図である。
【図９】実施例３のリフトアップシステムの概略構成を説明する斜視図である。
【図１０】実施例３のリフトアップシステムの概略構成を説明する断面図である。
【符号の説明】
【０１２０】
１              コンクリート床版
１ａ            貫通孔
１１            床面（基面）
２              防振装置（支持材）
３，３Ａ−３Ｄ  リフトアップ装置
３１            支持プレート（支持部）
３１１          凹部
３２            ジャッキ棒
３２１          ハンドル部
３２２          先端
３３            リフト板
３３１          突起部
３３２          ネジ穴
３４            絶縁カバー（絶縁材）
４              リフトアップシステム
４１            連結装置
４２            回転伝達装置
５              リフトアップ装置
５１            支持プレート（支持部）
５１１          凹部
５２            ジャッキ棒
５２１          長尺ナット部
５２１ａ        ネジ穴
５２２          先端
５３            ベアリング構造（回動機構）
５４            受けプレート
５５            リフト板
５５２          穴
６              リフトアップシステム
６１            連結装置
６２            回転伝達装置
【図８】
0004881804.tif 000002
【図１】
0004881804.tif 000003
【図２】
0004881804.tif 000004
【図３】
0004881804.tif 000005
【図４】
0004881804.tif 000006
【図５】
0004881804.tif 000007
【図６】
0004881804.tif 000008
【図７】
0004881804.tif 000009
【図９】
0004881804.tif 000010
【図１０】
0004881804.tif 000011